(57)【要約】  本発明は、特には宣伝システムのようなモジュラ情報システム（１０）であって、印刷可能セクション（４，４’）を持つ印刷媒体（２，２’）と、別々の略同一の情報担体（３，３’）の組であって、各情報担体が上記印刷媒体の平均的セクションより大きな表面を有するような組と、少なくとも各セクション（４，４’）に配置された結合エレメント（５，５’）とを備え、上記結合エレメント（５，５’）が、手による釈放可能な態様での結合の後に、上記印刷媒体の印刷されたセクション（４，４’）と別体の情報担体（３，３’）とを接続するようなモジュラ情報システムに関するものである。本発明の好ましい実施例においては、上記結合エレメントは結合フィルム（３’）として形成され、該結合フィルムは少なくとも部分セクションに情報通知記号の形状を有する。【選択図】  図１
2007519965.tif 000002
【特許請求の範囲】
【請求項１】
特には宣伝システムのようなモジュラ情報システム（１０）であって、
ａ．印刷可能なセクション（４，４’）を持つ印刷媒体（２，２’）と、
ｂ．別々の略同一の情報担体（３，３’）の組（１）であって、各情報担体（３，３’）が前記印刷媒体（２，２’）の平均的セクション（４，４’）より大きな表面を有するような組と、
ｃ．少なくとも各セクション（４，４’）に配置された結合エレメント（５，５’）であって、該結合エレメント（５，５’）が、印刷されたセクション（４，４’）と別体の情報担体（３，３’）とを互いに手で釈放可能な態様で接続するのに適しているような結合エレメントと、
を有するようなモジュラ情報システムにおいて、
ｄ．前記印刷媒体（２，２’）が現金点ロール紙として形成されることを特徴とするモジュラ情報システム。
【請求項２】
請求項１に記載のモジュラ情報システム（１０）において、前記結合エレメント（５，５’）が、前記セクション（４，４’）の裏面の部分を少なくとも覆うような接着フィルムとして形成されることを特徴とするモジュラ情報システム。
【請求項３】
請求項１又は請求項２に記載のモジュラ情報システム（１０）において、前記結合エレメントは少なくとも部分セクションにおいて情報通知記号の形状を有するような結合フィルム（５’）として形成されることを特徴とするモジュラ情報システム。
【請求項４】
請求項３に記載のモジュラ情報システム（１０）において、前記結合フィルム（５’）が１以上の文字の形状を有することを特徴とするモジュラ情報システム。
【請求項５】
請求項４に記載のモジュラ情報システム（１０）において、前記結合フィルム（５’）が周期的に繰り返す記号を有し、これら記号は、前記印刷媒体（２’）のセクション（４’）の最小寸法において少なくとも１つの記号がセクション（２’）の裏面（２０’）上に配置されるように配置されることを特徴とするモジュラ情報システム。
【請求項６】
請求項５に記載のモジュラ情報システム（１０）において、前記結合フィルム（５’）が、少なくとも部分セクションにおいて、鏡反転された向きの情報通知記号の形状を有することを特徴とするモジュラ情報システム。
【請求項７】
請求項３ないし６の何れか一項に記載のモジュラ情報システム（１０）において、前記結合フィルム（５’）が可視的であるが同時に透明な材料から形成され、これにより、前記印刷媒体（２，２’）の裏面（２０’）上で追加の情報（７’）が見えるようになることを特徴とするモジュラ情報システム。
【請求項８】
請求項１ないし７の何れか一項に記載のモジュラ情報システム（１０）において、前記略同一の情報担体（３，３’）が、各々、１以上の頁の用紙を有することを特徴とするモジュラ情報システム。
【請求項９】
請求項１ないし８の何れか一項に記載のモジュラ情報システム（１０）において、前記情報担体（３，３’）が２２ｃｍｘ１１ｃｍの封筒フォーマット以下のフォーマットを有することを特徴とするモジュラ情報システム。
【請求項１０】
請求項１ないし９の何れか一項に記載のモジュラ情報システム（１０）において、組（１）内の情報担体（３，３’）の数が、前記印刷媒体（２，２’）の印刷可能セクション（４，４’）の数に実質的に一致することを特徴とするモジュラ情報システム。
【請求項１１】
請求項１ないし１０の何れか一項に記載のモジュラ情報システム（１０）において、前記結合エレメントは、ＵＶ光、熱又は同様のものにより活性化することができるようなコーティングとして形成されることを特徴とするモジュラ情報システム。
【請求項１２】
請求項１又は請求項２に記載のモジュラ情報システム（１０）において、前記結合エレメントが、前記印刷可能セクション（４，４’）の磁気的に及び／又は静電的に充填された領域として形成されることを特徴とするモジュラ情報システム。
【発明の詳細な説明】
【技術分野】
【０００１】
本発明は、モジュラ情報システム、特には宣伝システムに関する。
【背景技術】
【０００２】
日々の生活の多くの分野では、人々に情報を（特には、テキストメッセージ又は画像を）体系的に提供する必要がある。装置の誤った又は危険な用途に関する警告を提供するような、技術装置に関する注意書きがその一例である。
【０００３】
技術装置に関連する危険性に関する注意書きは、通常は、使用者により所望される情報であるが、物品を使用する又は購入する者により実際には所望されないような追加情報が該物品に付加される場合もある。タバコに関連し、全てのタバコの箱に印刷されねばならないような、健康に対する危険性に関する強制的注意書きが、一例である。斯かる注意書きは当該箱に強固に結合されており、購入者がタバコの銘柄を決めようと欲するだけであっても、該購入者に注意書きの内容に気付くようにさせる。
【０００４】
法的制約がない場合、物品にとり所望されないような情報担体を、斯かる情報担体の内容が高い確率で気付かれるような方法で付加することは、通常は、高い努力を要すると共に費用が嵩む。特に多数の略同一の例えばリーフレット（単葉印刷物）等の情報担体を分配したい宣伝者にとっては、特に、これは大きな技術的問題を呈する。分配されるか又は新聞にバラで追加されるリーフレットは、殆どは気付かれず、注目されることなくゴミ箱に捨てられる。
【０００５】
情報担体が、例えばホチキス止めにより、他の所望の情報担体に永久的に結合されるような他の既知の方法（例えば、ホテルの請求書／ホテルのパンフレットのホチキス止めされた組み合わせ）は、サービス要員による信頼性の高い且つ時間の掛かる処理を必要とし、従って実施するのが困難である。
【発明の開示】
【発明が解決しようとする課題】
【０００６】
従って、本発明の技術的課題は、情報担体を他の物品に該物品の使用者が該情報担体の内容に殆ど気付くように安価な態様で結合することができるような簡単且つ費用効果的なシステム及び方法を提供することにある。
【課題を解決するための手段】
【０００７】
本発明は、特には宣伝システムのようなモジュラ情報システムであって、印刷可能なセクション（区域片）を持つ印刷媒体と、別々の略同一の情報担体の組であって各情報担体が前記印刷媒体の平均的印刷可能セクションより大きな表面を有するような組と、少なくとも各セクションに配置された結合エレメントとを有し、該結合エレメントが、手で釈放可能に結合した後、前記印刷媒体の印刷可能セクションと、別体の情報担体とを接続するようなモジュラ情報システムに関するものである。
【０００８】
本発明のシステムは、それ自体は既知の構成要素を、新規な発明的態様で全体のシステムに接続し、これが、情報担体の分配に関する前記問題を克服する。
【０００９】
上記印刷媒体のセクションは、ユーザにより必要とされる個々の情報で、一方の面を又は両方の面を印刷することができる。好ましくは上記印刷可能セクションの裏面上に配設される上記結合エレメントは、基体に取り付けられなければならない単票セクションの別々の処理を先ずは防止する。これも本発明のシステムにおいて設けられる略同一の情報担体の上記組は、このような基体を提供し、この様にして、各セクションが別々の情報担体に手で釈放可能な態様で接続され得るのを可能にする。当該情報担体は上記印刷可能セクションより大きな表面を有しているので、上記結合による接続は、最も簡単な方法では、手の単一の移動により、従って前述した面倒なホチキス止めよりも大幅に速く実現することができる。
【００１０】
本発明のシステムにより提供される上記印刷可能セクションと別体の情報担体との間の一時的接続は、該情報担体の内容が従来技術による前述した方法（バラのリーフレットの付加等）におけるよりは、等しくないような高い確率で気付かれるという効果を有している。
【００１１】
更に、本発明によれば、上記印刷可能セクションと単一の情報担体との間の結合による接続は、例えば当該セクションが後に会計簿に貼付しなければならないような受領書であるような場合のように、もし後の段階で該印刷されたセクションを上記情報担体とは別に格納しなければならない場合、上記接続が手で釈放することができるように形成される。この点に関して言うと、上記の印刷されたセクションは当該情報担体から実質的に残留物無しに除去することができるのが好ましい。
【００１２】
好ましい実施例においては、印刷可能なセクションを備える上記印刷媒体は、単票受領書を印刷するための現金点（cash point）用ロール紙として形成される。これによれば、上記結合エレメントは好ましくは結合フィルムとして形成され、その場合において、該結合フィルム自体は少なくとも部分的に情報通知記号（symbols）の形態を有する。
【００１３】
本発明の、この更なる発展例によれば、一方における情報の周旋という面と、他方における結合による取り付けという面の両方が、１つの構成的特徴により互いに結合される。従って、例示的実施例においては、上記結合フィルムは、完全な語をも形成することができるような１以上の文字の形態を有する。
【００１４】
他の例示的実施例においては、前記印刷媒体の結合フィルムが周期的に繰り返す記号を有し、これら記号は、前記印刷媒体のセクションの最小寸法において少なくとも１つの記号がセクションの裏面上に配置されるように配置される。このようにして、各セクションを例えばリーフレット等の情報担体上に釈放可能に取り付けることができることが保証される。しかしながら、上記記号は同一である必要はない。また、例えば結合面が印刷媒体の裏面上に対応する数として形成されることにより、上記セクションの簡単な番号付けも考えられる。
【００１５】
或る例示的実施例においては、上記結合フィルムは、印刷媒体のセクションを情報担体に貼着し、次いで該セクションを除去した場合に可視の印象を残存させるような材料特性を有する。このようにして、例えば宣伝している会社のインターネットアドレスを情報担体上に該結合フィルムにより“印刷”することができ、従って、該インターネットアドレスは一層良好に記憶される。この例示的実施例に記号が関わる場合、斯かる記号の向きが重要であり、上記結合フィルムが鏡反転された向きの情報通知記号の形態を有するのが有利である。この場合、当該印刷は即座に見えるようになる。
【００１６】
記載されたシステムの更なる発展例においては、印刷されたセクション及び情報担体は、各々、前記結合エレメントにより互いに自動的に接続される。これは、例えば現金点又は別のプリンタにおける対応する機械式装置により実現することができ、斯かる装置により、印刷された受領書は別の情報担体上に自動的に貼着される。
【００１７】
簡単な処理を支援するために、当該モジュラ情報システムの１組の情報担体の数は、好ましくは、上記印刷媒体の印刷可能セクションの数と略一致するものとする。これにより、印刷された各セクションに対し、略正確に１枚の情報担体が接続用の基体として供給され、全体の印刷媒体が合理的に使用され得ることが保証される。これは、当該システムの適切な梱包（例えば、対応する数の情報担体と一緒の複数の現金点用ロール紙）により達成することもできる。
【００１８】
他の態様によれば、本発明は別々の情報担体を分配する方法であって、
−  単票のセクションを印刷するための印刷媒体、及び別々の略同一の情報担体を設けるステップであって、各情報担体が前記印刷媒体の平均のセクションより大きな表面を有しているようなステップと、
−  前記印刷媒体の単票セクションを印刷するステップであって、各セクションが１つの結合エレメントを有するようなステップと、
−  各セクションを別個の情報担体上に、当該セクションと当該情報担体との間の接続が手で釈放可能なように付着させるステップと、
−  前記別個の情報担体と接続された前記セクションを受取者に分配するステップと、
を含むような方法にも関するものである。
【００１９】
追加の更なる発展例は、他の従属請求項の主題を形成する。
【００２０】
以下の詳細な説明においては、本発明の現在のところ好ましい実施例を、図面を参照して説明する。
【発明を実施するための最良の形態】
【００２１】
以下においては、本発明によるモジュラ情報システム及び方法の好ましい実施例を説明するが、例としてリーフレットの組と特別に形成された現金点（cash point）用ロール紙の組み合わせを考察する。しかしながら、本発明が他の印刷媒体及び他の情報担体を備えるシステムも含むことは明らかである。
【００２２】
図１は、一般的構成を概略示している。即ち、別個の単葉リーフレット３（例えば新しい椅子に関する）の１つの組１が、現金点ロール紙２と組み合わされて、モジュラ情報システム１０となる。現金点ロール紙２は、例えば燃料ステーション等の販売点の個々の支払情報で印刷するためのもので、複数の印刷可能なセクション（区域片）４を有している。セクション４を印刷することにより、各セクションは個別化され、実質的に何のセクション４も他のセクションと同一とはならない。好ましくは、セクション４上に印刷される個々の情報とリーフレット３の内容とは関係がないものとする。
【００２３】
セクション４の寸法は、図１に点線により示されるように事前に規定するか、又は印刷されるべき情報の量から導出することができる。各セクション４は、裏面上に、少なくとも部分セクション５を有し、該部分セクションには結合フィルム５等が設けられる。現金点ロール紙２の全裏面に連続した結合フィルム５等を設けることも考えられる。しかしながら、裏面の部分的コーティングは、後にリーフレット３からのセクション４の手による除去を容易にする。上記寸法とは独立に、適切な不活性化（passivation）により、結合フィルム５が巻取状態の現金点ロール紙に接着しないことが保証される。
【００２４】
しかしながら、上記結合フィルムを各セクションの少なくとも部分領域の静電充填として形成することも可能であり、その場合、斯かる静電充填は印刷の前又は後に行い得る。他の実施例では、上記セクションに磁化可能な材料が組み込まれ、該材料が適切な情報担体における付着を可能にする。これの他の特徴は後に詳述する。
【００２５】
他の例として、最初は接着性ではないが、現金点又は別体のプリンタを離れる場合においてのみ例えばＵＶ光に曝す、又は加熱する等により活性化されるような特別なコーティングを塗布することもできる。最も簡単な場合では、現金点又はプリンタにおける当該セクションの配出時の被覆箔の又は担体用紙の自動的除去も可能である。上記特別なコーティングの活性化又は上記被覆箔の除去は、印刷の後に上記現金点ロール紙が通過する別個の処理ステーションにおいて行うこともできる。全体の結合コーティングを、印刷後に、例えば印刷装置自体内で又は他の装置内で又は手動で塗布することも可能である。この補足的コーティングの１つの有利な実現は、当該現金点ロール紙の印刷された領域の裏面を、結合フィルムが該現金点ロール紙に移転されるような担体用紙（図示略）に接触させることである。
【００２６】
印刷後に、セクション４は、現金点（図示略）、別個のプリンタ（図示略）又は上述した処理ステーションにより配出されて、好ましくは即座に接着性状態となる。これは、個別化されたセクション４とリーフレット３との組み合わせが顧客に手渡され得る前に、図１に概念的に示すように販売員に該セクション４をリーフレット３の１つに即座に貼り付けさせる。これにより、所望の情報、即ち個別に印刷されたセクション４が、リーフレット上の他の情報に即座に結合される。かくして、受取者はリーフレット３を直ぐに捨てることはなく、該リーフレットに含まれる情報に高い確率で気付き、該リーフレットをオフィス又は自宅に持ち帰る。
【００２７】
印刷されたセクション４は、現金点又はプリンタから既に接着性状態で現れるので、該セクションは、例えば引き外すと共にリーフレット３に直ぐに押し付けることにより、ロール紙２の残部から分離するだけでよい。この点に関連して、前記組１は、好ましくは、上記現金点又は別体プリンタの直近に配置されるようにする。この最終ステップは、リーフレットが平均の単一セクション４よりも大きな表面を有するので、容易化される。このように、リーフレットの正確な位置決めは絶対に必要というものではない。他の例として、上記現金点、プリンタに、又はこれらに加えて、セクション４をリーフレット３上に半又は全自動化態様で貼り付ける装置を設けることも可能である。
【００２８】
リーフレット３の前記組１は、或る数の略同一のリーフレット３の例を含む。全体の識別からの僅かのずれとして、例えば番号付けが考えられる。略同一のリーフレット３の複数の群を共通の組１に設けることも可能である。当該組のリーフレット３の数は、通常の消費において各セクション４に対して実質的に１つのリーフレット３が供給されるように、好ましくは現金点ロール紙２の長さに調整される。セクションの寸法が予め定められていない場合は、セクションの平均寸法が基礎としてとられる。
【００２９】
接着領域５は、印刷されたセクション４とリーフレット３との間に安定しているが手で釈放可能な接続を保証するような組成物を有する。加えて、リーフレット３の表面が化学的にコーティングされる（図示略）ことも考えられる。これにより、２つの目的を達成することができる。一方において、上記接着特性は、接着領域５がリーフレット３の表面に接触した最初の場合に、向上されるか又は実際に生じるようにすることができる。更なる発展例では、セクション及びリーフレットの手による釈放可能性が時間遅延（例えば、接続の後１０分）を伴って生じ、これにより顧客はセクション４を最初はリーフレットと一緒に持ち運ぶことを完全に強制される。
【００３０】
代わりに又は加えて、リーフレット３のコーティングは、該リーフレット３と印刷されたセクション４との間の接着効果が一時的となるようにすることもできる。これは、当業者による既知の化学物質の選択により達成することができる。結果として、セクション４の当該リーフレットからの後の除去が容易化される。更に、初期にはセクション４とリーフレット３との間の安定しているが、釈放可能な接続を保証し、後にセクション４を記録帳に即座に貼り付けるのに役立つような通常の接着剤を使用することも考えられる。各場合において、上記の印刷されたセクションを後に当該リーフレットから実質的に残留物なしに除去することができ、斯かる除去の間に損傷されないような場合が好ましい。
【００３１】
上記リーフレット（例えば、単葉の用紙、カード用紙、又は複数頁の折りたたみパンフレット等）は、好ましくは小さなフォーマットのみを有し、これによりセクション４とリーフレット３との該組み合わせが扱うのが過度に困難とならないようにすると共に、顧客側からの過度に大きな拒絶に会わないようにする。好ましくは、ポケットフォーマット≦封筒フォーマット（２２ｘ１１ｃｍ）が使用される。
【００３２】
図２〜４は、図示したシステムの特に好ましい発展例を示し、これらを以下に更に詳細に説明する。図２のａには、前面８’及び裏面２０’を持つ現金点ロール紙２’を見ることができる。現金点ロール紙２’には、既知の方法で前面８’に所望の情報で印刷することができる。次いで、印刷されたセクションは、切断する又は引き外すことにより、該ロール紙２’の残部から分離される。図では同じ寸法に示されているが、セクション４’は異なる寸法を有しもよい。一般的に、１つのセクション４’の寸法は、前面８’に印刷される情報の量に依存する。
【００３３】
現金点ロール紙２’の裏面２０’には結合フィルム５’が設けられ、これにより、リーフレットの例を考察して上述したように、セクション４’を情報担体３’上に配置する。これによれば、結合フィルム５’は図２のａに概略示された実施例では追加のテキスト情報の形状を有している。この点で、結合フィルム５’は、当該通知されるべき情報が一層認識し易くされるように着色されるか、又は略無着色で、従って透かしと同様に、注意深い観察でのみ気付くようにすることができる。
【００３４】
各場合において、結合フィルム５’の本発明構成は、セクション４’の情報担体３’上への取り付けを可能にするのみならず、宣伝用メッセージ、重要情報又は電話番号等の追加の情報をユーザに通知することができる。結合フィルム５’の形態の情報は、簡単な実施例においては、各セクション４’に対して同一であり、その場合において、各セクション４’に結合フィルム５’が設けられるように、これらセクション４’は好ましくは最小の寸法を有する。しかしながら、個々の記号を結合フィルム５’の形状により裏面２０’に付与することも同様に考えられる。
【００３５】
結合フィルム５’は、情報通知記号の形態を有することができる。例示的実施例による図３に概念的に示された実施例においては、結合フィルム５’は１以上の音符の形をとる。図４は更なる代替例を示し、該実施例において結合フィルム５’の形状は、語及び／又は画像のフォーマットでの商標の再生により、所望の会社等を参照する。
【００３６】
結合フィルム５’の情報伝達形状は、図２のｃ〜ｅに示すように、セクション４’が一時的に情報担体３’に接着される場合に特に気付かれる。結合フィルム５’が適切な材料から作製される場合、該結合フィルムはセクション４’の情報担体３’からの除去の間に印象４０’を残し得る。これのための材料組成は、接着技術の分野における当業者により良く知られている。例えば、結合フィルム５’は、この目的のために着色することができ、斯かる色は染料の場合におけるように情報担体３’上に転写される。
【００３７】
このような印象４０’は、情報担体３’上に長い時間にわたり留まり得るか、又は除去するのが容易なように形成され得る。この代替例は、好ましくは宣伝目的で使用される。ここで、セクション４’が除去された場合（図２のｄ及びｅ参照）、見えるが長い間には除去不可能ではないような結合フィルム５’の印象４０’は、最後には所望の宣伝メッセージを伝達するであろう。
【００３８】
セクション４’の除去に続いて可視印象４０’を残存させるために上述した方法で結合フィルム５’が形成された場合、テキストの場合のみならず、他の情報通知記号の場合においても、各結合層５’をセクション４’上に鏡反転状態で付着するのが合理的である。図２のａ〜ｅは後者をセクション４’上の鏡反転された“ＩＮＦＯ”を考慮しながら示している。
【００３９】
最後に、図５は更なる実施例を示し、該実施例において、裏面２０’は、本発明の結合フィルム５’を有するのみならず、既知の方法で例えば現金点ロール紙のユーザの一般条件（general terms and
conditions）７’又は同様のデータが付加的に印刷される。また、このような現金点ロール紙２’の場合、結合フィルム５’は、前面８’及び裏面２０’に加えて更なる情報をユーザに伝達するような形態で付着される。
【００４０】
この場合、好ましくは略透明な結合フィルム５’が使用されるが（図５参照）、適切な化学材料を使用することにより、当該結合フィルムがロール紙から除去された後、該結合フィルムが例えば周囲の空気との接触により色を変化するように、最初は透明な結合フィルムを形成することも可能である。これにより、最初は印刷されたデータ７’の認識が可能にされ、次いで、結合フィルム５’の特別な形状が明確に見えるようになり、かくして、該結合フィルムに含まれる情報も気付かれるようになるであろう。
【図面の簡単な説明】
【００４１】
【図１】図１は、本発明システムの第１の好ましい実施例の概略図、及び記載される方法のステップを示す。
【図２】図２のａ〜ｅは、テキストフォーマットの結合フィルムを伴う本発明による印刷媒体の他の実施例の概略図であり、該図のｂ〜ｅは上記結合フィルムにおけるテキスト情報の情報担体への伝達を示す。
【図３】図３は、情報通知記号が音符として形成された他の実施例の概略図である。
【図４】図４は、情報通知記号が登録商標として形成された他の実施例の概略図である。
【図５】図５は、印刷媒体が裏面の透明結合フィルムの下に印刷されるような実施例の概略図である。
【符号の説明】
【００４２】
１    リーフレットの組
２、２’  ロール紙
３、３’  リーフレット（情報担体）
４、４’  セクション
５、５’  結合フィルム
８’  前面
１０    モジュラ情報システム
２０’  裏面
【図１】
2007519965.tif 000003
【図２】
2007519965.tif 000004
【図３】
2007519965.tif 000005
【図４】
2007519965.tif 000006
【図５】
2007519965.tif 000007
【国際調査報告】
2007519965.tif 000008
2007519965.tif 000009
2007519965.tif 000010
2007519965.tif 000011
2007519965.tif 000012
2007519965.tif 000013